(57)【要約】【課題】キャップの天面部内面に中蓋を貼り付かせることなく、当該中蓋を、口部の先端開口を遊嵌状態で覆って確実に設置しておくことのできる中蓋付き容器を提供する。【解決手段】容器本体１１の口部１３にフランジ部２０を載置して口部１３の先端開口１４に遊嵌状態で設置されるフランジ付き中蓋２２を備え、口部１３にキャップ１２が装着される中蓋付き容器１０であって、キャップ１２が口部１３に装着される際に、キャップ１２の天面部内面１８の周縁部分１８ａが口部１３に載置されたフランジ部２０と接触する前に、中蓋本体２１の一部２６ａがキャップ１２の天面部内面１８の内方部分１８ｂと先に接触する。天面部内面１８がフランジ部２０と接触した状態で、中蓋本体の一部２６ａが天面部内面１８の内方部分１８ｂにより押圧されて中蓋本体２１が弾性変形することにより、キャップ１２を押し上げる方向の付勢力Ｘを生じる。【選択図】図２
2008285201.tif 000002
【特許請求の範囲】
【請求項１】
容器本体の口部に中蓋を備え、中蓋を覆うようにキャップを着脱可能に装着して用いる中蓋付き容器であって、
前記中蓋は、中蓋本体とその周辺に設けたフランジ部とを有し、前記容器の口部の先端開口に前記中蓋本体を落し込むようにしつつ前記容器本体の口部の上端面に前記フランジ部を載置することで、前記口部に遊嵌状態で設置され、
前記キャップが前記口部に装着される際に、前記キャップの天面部内面の周縁部分が前記口部に載置された前記中蓋のフランジ部と接触する前に、前記中蓋のフランジ部とは異なる部分が前記キャップの天面部内面と先に接触し、
前記キャップの天面部内面の周縁部分が前記中蓋のフランジ部と接触した状態では、前記中蓋本体の一部が前記周縁部分よりも内方部分の天面部内面により押圧されて前記中蓋本体が弾性変形することにより、前記キャップと中蓋とを離間させる方向の付勢力を生じる中蓋付き容器。
【請求項２】
前記口部の上端面にフランジ部を載置して前記フランジ付き中蓋を前記口部に設置した際に、前記中蓋本体の一部が前記フランジ部よりも上方に突出し、前記天面部内面が平坦面又は略平坦面となるように形成された前記キャップを前記口部に装着することにより、前記中蓋本体の一部が前記キャップの天面部内面の前記内方部分と先に接触する請求項１に記載の中蓋付き容器。
【請求項３】
請求項２に記載の中蓋付き容器に用いるフランジ付き中蓋であって、
前記容器本体の口部の上端面に沿った円環形状を有するフランジ部と、該フランジ部の内方に一体成形された中蓋本体とからなり、
該中蓋本体は、前記フランジ部の内側縁部と連接して下方に延設する前記口部の内径よりも小さな外径を有する環状壁部と、該環状壁部の下端縁部と連接して内方に延設する底板部と、該底板部の内側縁部に連接して該底板部よりも内方部分を閉塞すると共に、上方に隆起して天端部が前記フランジ部よりも上方に突出する閉塞凸部とからなるフランジ付き中蓋。
【請求項４】
前記閉塞凸部の天端部は、前記フランジ部よりも０．５〜１．５ｍｍ上方に突出する請求項３に記載のフランジ付き中蓋。
【請求項５】
前記フランジ部には、外側縁部から外方に突出する指掛けつば部が設けられている請求項３又は４に記載のフランジ付き中蓋。
【請求項６】
真空成形によって形成される請求項３〜５のいずれかに記載のフランジ付き中蓋。
【発明の詳細な説明】
【技術分野】
【０００１】
本発明は、中蓋付き容器及びフランジ付き中蓋に関し、特に容器本体の口部の上端面にフランジ部を載置して設置されるフランジ付き中蓋を備え、口部にキャップを着脱可能に装着して用いる中蓋付き容器、及び該中蓋付き容器に用いるフランジ付き中蓋に関する。
【背景技術】
【０００２】
例えば容器本体の口部にキャップを装着する際に、口部の先端開口の密封性を高めて収容物の劣化を防止するために、キャップと口部との間に中蓋を介在させた容器が種々提案されている（例えば、特許文献１参照）。
【０００３】
このような中蓋付き容器では、例えば中蓋の円環状の周壁の外周面を口部の先端部分の開口内周面に密着させるようにして中蓋を口部に嵌め込むことにより口部を閉塞して、収容物を容器本体の内部に強固に封入できるようになっている。また、収容物を使用する際には、口部からキャップを取り外した後に、口部の先端開口に嵌め込まれている中蓋を、嵌合力に抗して取り外すことにより、先端の開口を開放状態とする。
【特許文献１】特開平８−２１７１０４号公報
【発明の開示】
【発明が解決しようとする課題】
【０００４】
一方、例えば化粧品の分野においては、クリーム状、リキッド状等の状態の収容物を収容する容器として、口部の先端開口を遊嵌状態で覆って中蓋を設置するようにした中蓋付き容器が知られている。このような中蓋付き容器では、口部に中蓋が嵌め込まれるものと比較して、キャップを取り外した後に、特別の力を要することなく、口部の先端開口を覆う中蓋を例えば単に指で摘んで容易に取り外すことが可能になる。またキャップを取り外しても、口部の先端開口が載置した中蓋で覆われた状態を保持することにより、収容物を簡易に封止しておくことが可能になると共に、取り外されるキャップの天面部内面や、周壁内側のネジ山等に収容物が付着して、手指を汚したり、キャップが着脱し難くなるのを防止することが可能になる。
【０００５】
口部に遊嵌状態で設置される中蓋は、口部の上端面に沿った円環形状を有するフランジ部と、フランジ部の内方に一体成形された中蓋本体とからなり、口部の上端面にフランジ部を載置すると共に、中蓋本体を口部の開口に落し込むようにしつつ遊嵌状態で配置されて、口部に設置されるのが一般的である。
【０００６】
このような中蓋は、キャップが口部に装着された際に、フランジ部が、口部の上端面と、キャップの天面部内面の周縁部分との間に強く挟み込まれることにより、キャップの天面部内面に密着して、当該天面部内面に貼り付いた状態となりやすい。フランジ部がキャップの天面部内面に貼り付いた状態のまま、キャップが口部から取り外されると、口部の先端開口を中蓋で覆った状態を保持することができなくなり、上述のような収容物を簡易に封止しておく機能や、取り外されるキャップの天面部内面や、周壁内側のネジ山等に収容物が付着するのを防止する機能が阻害される。キャップの天面部に張り付いた中蓋が、不用意に剥がれ落ちると洋服、人体、家具、床、カーペットなどに当たって中蓋についている収容物がこれらのものに付着する恐れがある。収容物の種類によっては付着したものを落とすのが困難である。
【０００７】
本発明は、容器本体の口部に装着したキャップを取り外した際に、キャップの天面部内面に中蓋を貼り付かせることなく、当該中蓋を、口部の先端開口を遊嵌状態で覆って確実に設置しておくことのできる中蓋付き容器、及び該中蓋付き容器に用いるフランジ付き中蓋を提供することを目的とする。
【課題を解決するための手段】
【０００８】
本発明は、容器本体の口部に中蓋を備え、中蓋を覆うようにキャップを着脱可能に装着して用いる中蓋付き容器であって、前記中蓋は、中蓋本体とその周辺に設けたフランジ部とを有し、前記容器の口部の先端開口に前記中蓋本体を落し込むようにしつつ前記容器本体の口部の上端面に前記フランジ部を載置することで、前記口部に遊嵌状態で設置され、前記キャップが前記口部に装着される際に、前記キャップの天面部内面の周縁部分が前記口部に載置された前記中蓋のフランジ部と接触する前に、前記中蓋のフランジ部とは異なる部分が前記キャップの天面部内面と先に接触し、前記キャップの天面部内面の周縁部分が前記中蓋のフランジ部と接触した状態では、前記中蓋本体の一部が前記周縁部分よりも内方部分の天面部内面により押圧されて前記中蓋本体が弾性変形することにより、前記キャップと中蓋とを離間させる方向の付勢力を生じる中蓋付き容器を提供することにより、上記目的を達成したものである。
【０００９】
また、本発明は、前記中蓋付き容器に用いるフランジ付き中蓋であって、前記容器本体の口部の上端面に沿った円環形状を有するフランジ部と、該フランジ部の内方に一体成形された中蓋本体とからなり、該中蓋本体は、前記フランジ部の内側縁部と連接して下方に延設する前記口部の内径よりも小さな外径を有する環状壁部と、該環状壁部の下端縁部と連接して内方に延設する底板部と、該底板部の内側縁部に連接して該底板部よりも内方部分を閉塞すると共に、上方に隆起して天端部が前記フランジ部よりも上方に突出する閉塞凸部とからなるフランジ付き中蓋を提供することにより、上記目的を達成したものである。
【発明の効果】
【００１０】
本発明の中蓋付き容器又は該中蓋付き容器に用いるフランジ付き中蓋によれば、容器本体の口部に装着したキャップを取り外した際に、キャップの天面部内面に中蓋を貼り付かせることなく、当該中蓋を、口部の先端開口を遊嵌状態で覆って確実に設置しておくことができる。
【発明を実施するための最良の形態】
【００１１】
図１に示す本発明の好ましい一実施形態に係る中蓋付き容器１０は、収容物として、例えば化粧料であるクリーム状のファンデーションを収容する容器であって、容器本体１１と、キャップ１２と、周辺にフランジ部２０を設けたフランジ付き中蓋２２とによって構成される。本実施形態では、中蓋付き容器１０は、容器本体１１に収容物を収容した後、容器本体１１の口部１３の先端開口１４を覆ってフランジ付き中蓋２２を設置し、口部１３の外周面に形成した雄ネジ１５にキャップ１２の周壁１６の内周面に形成した雌ネジ１７（図２参照）を締着して、口部１３にキャップ１２を装着固定した状態で製品化される。中蓋付き容器１０を購入した使用者は、キャップ１２を取り外して収容物を使用することになるが、本実施形態の中蓋付き容器１０は、キャップ１２を取り外した後も、口部１３の先端開口１４をフランジ付き中蓋２２で覆った状態を確実に保持しておくことにより、収容物を簡易に封止しておくと共に、取り外されるキャップ１２の天面部内面１８（図２参照）や、周壁１６の内側の雌ネジ１７等に収容物が付着するのを回避できるようにするものである。
【００１２】
そして、本実施形態の中蓋付き容器１０は、容器本体１１の口部１３の上端面１９にフランジ部２０を載置して、口部１３の先端開口１４に中蓋本体２１を落し込むようにしつつ遊嵌状態で設置されるフランジ付き中蓋２２を備え、口部１３にキャップ１２を着脱可能に装着して用いる容器であって、図２（ａ），（ｂ）に示すように、キャップ１２が口部１３に装着される際に、キャップ１２の天面部内面１８の周縁部分１８ａが口部１３に載置されたフランジ部２０と接触する前に、中蓋本体２１の一部である例えば閉塞凸部２６の天端部２６ａが、キャップ１２の天面部内面１８の周縁部分１８ａよりも内方部分である中央部１８ｂと先に接触し、キャップ１２の天面部内面１８の周縁部分１８ａがフランジ部２０と接触した状態（図２（ｂ）参照）で、中蓋本体２１の天端部２６ａがキャップ天面部内面１８の中央部１８ｂにより押圧力Ｐで押圧されて中蓋本体２１が弾性変形することにより、キャップ１２を押し上げる、すなわち、中蓋２２とキャップ１２とを離間させる方向の付勢力Ｘを生じるようになっている。
【００１３】
また、本実施形態では、口部１３の上端面１９にフランジ部２０を載置してフランジ付き中蓋２２を口部１３に設置した際に、中蓋本体２１の一部（閉塞凸部２６の天端部２６ａ）がフランジ部２０よりも上方に突出し（図２（ａ）参照）、天面部内面１８が平坦面又は略平坦面となるように形成されたキャップ１２を口部１３に装着することにより、中蓋本体２１の一部２６ａがキャップ１２の天面部内面１８の内方部分である中央部１８ｂと先に接触するようになっている。
【００１４】
さらに、本実施形態では、中蓋付き容器１０に用いるフランジ付き中蓋２２は、図３（ａ），（ｂ）にも示すように、容器本体１１の口部１３の上端面１９に沿った円環形状を有するフランジ部２０と、このフランジ部２０の内側に一体成形された中蓋本体２１とからなり、中蓋本体２１は、フランジ部２０の内側縁部と連接して下方に延設する口部１３の内径よりも小さな外径を有する環状壁部２４と、この環状壁部２４の下端縁部と連接して内方に延設する円環形状の底板部２５と、この底板部２５の内側縁部に連接して該底板部２５よりも内方部分を閉塞すると共に、上方に隆起して天端部２６ａがフランジ部２０よりも上方に突出する閉塞凸部２６とからなる。
【００１５】
本実施形態の中蓋付き容器１０を構成する容器本体１１は、図１に示すように、例えばガラス材料や合成樹脂材料を用いて形成され、略矩形平断面形状の胴部１１ａを備える手のひらサイズのコンパクトな形状を有している。また容器本体１１の肩部１１ｂから上方に突出して、例えば２０〜６０ｍｍ程度の内径を有する略円形平断面形状の口部１３が設けられている。口部１３の外周面には雄ネジ１５が形成されており、この雄ネジ１５を介して、キャップ１２が口部１３に着脱可能に装着される。
【００１６】
キャップ１２は、例えば合成樹脂材料を用いて形成され、円形板状の天面部２７と、天面部２７の周縁部から円環スカート形状に下方に延設する周壁１６とからなる。周壁１６の内周面には雌ネジ１７が設けられており、この雌ネジ１７を介して、キャップ１２が容器本体１１の口部１３に着脱可能に装着される（図２参照）。また天面部２７の内側面には、これと密着するようにしてパッキン３５がキャップ１２に嵌め込むようにして取り付けられており、このパッキン３５の内側面によって、略平坦面となったキャップ１２の天面部内面１８が形成される。
【００１７】
本実施形態では、フランジ付き中蓋２２は、合成樹脂材料として例えばポリエチレンテレフタレートを用い、好ましくは真空（圧空）成形によって安価且つ容易に形成され、図３（ａ），（ｂ）に示すように、例えば厚さが０．１〜０．５ｍｍ程度の透明な合成樹脂シートを立体形状に成形加工した形状を有している。フランジ付き中蓋２２の外周部分のフランジ部２０は、容器本体１１の口部１３の上端面１９に沿った円環形状として、例えば内径が２０〜６０ｍｍ、外径が２３〜７０ｍｍ、幅１．５〜５ｍｍ程度の大きさの、円環帯状の部分となっている。
【００１８】
また、フランジ部２０の内側に一体成形される中蓋本体２１の、口部１３の内径よりも小さな外径として例えば２０〜６０ｍｍ程度の外径を有する環状壁部２４は、例えば１〜１０ｍｍ程度の高さで形成される。これによって、口部１３に落し込むようにして設置される中蓋本体２１の外周面と、口部１３の内周面との間には、例えば０．１〜１ｍｍ程度の隙間ｓ（図２参照）が保持されて、フランジ付き中蓋２２は、取り外しが容易な遊嵌状態で口部１３の先端開口１４に設置される。また環状壁部２４の下端縁部から内方に延設する底板部２５は、幅１〜１０ｍｍ程度の大きさの、フランジ部２０と同心の円環帯状に形成される。さらに、底板部２５の内側縁部に連接して底板部２５よりも内方部分を閉塞する閉塞凸部２６は、天端部２６ａが閉塞面として平坦に切り取られた、例えば１．５〜１１．５ｍｍ程度の高さの、フランジ部２０と同心の扁平な円筒ドラム形状を有している。これによって、閉塞凸部２６の天端部２６ａは、フランジ部２０よりも好ましくは０．５〜１．５ｍｍの高さｈで上方に突出して設けられる。
【００１９】
ここで、本実施形態では、フランジ付き中蓋２２のフランジ部２０には、これの外側縁部から外方に突出して、径方向に対向する位置に、一対の指掛けつば部２３が設けられている。フランジ部２０に指掛けつば部２３が設けられていることにより、キャップ１２を取り外した後に、口部１３の先端開口１４を覆って残置されたフランジ付き中蓋２２を指で摘んで着脱する操作を、容易に行うことが可能になる。また、フランジ付き中蓋２２は、フランジ部２０と環状壁部２４との接合角部、環状壁部２４と底板部２５との接合角部、底板部２５と閉塞凸部２６との接合角部、及び閉塞凸部２６の天端部２６ａの周縁角部が、各々湾曲する面取り部２７となっている。これらの角部が面取り部２７となっていることにより、閉塞凸部２６の天端部２６ａがキャップ１２の天面部内面１８の内方部分である中央部１８ｂによって押圧された際に、中蓋本体２１が弾性変形しやすくなる。
【００２０】
そして、上述の構成を備える容器本体１１、キャップ１２、及びフランジ付き中蓋２２からなる本実施形態の中蓋付き容器１０によれば、容器本体１１の口部１３に装着したキャップ１２を取り外した際に、キャップ１２の天面部内面１８に中蓋２２を貼り付かせることなく、当該中蓋２２を、口部１３の先端開口１４を遊嵌状態で覆って確実に設置しておくことができる。すなわち、本実施形態によれば、キャップ１２が口部１３に装着される際に、キャップ１２の天面部内面１８の周縁部分１８ａがフランジ部２０と密着した状態（図２（ｂ）参照）で、中蓋本体２１の天端部２６ａがキャップ１２の天面部内面１８の中央部１８ｂに接することにより押圧されて中蓋本体２１が弾性変形することにより、キャップ１２を押し上げる方向の付勢力Ｘが生じている。したがって、フランジ部２０が、口部１３の上端面１９と、キャップ１２の天面部内面１８の周縁部分１８ａとの間に強く挟み込まれて、当該周縁部分１８ａに貼り付いていても、キャップ１２を口部１３から取り外す際に、キャップ１２を押し上げる方向Ｘへの付勢力によって、フランジ部２０と周縁部分１８ａとを密着状態から確実に剥離させることが可能になり、これによってフランジ付き中蓋２２を、口部１３の先端開口１４に遊嵌状態で容易に残置しておくことが可能になる。
【００２１】
図４（ａ），（ｂ）〜図６（ａ），（ｂ）は、フランジ付き中蓋の他の形態を例示するものである。図４（ａ），（ｂ）のフランジ付き中蓋２８は、底板部２５の内側縁部に連接して底板部２５よりも内方部分を閉塞する閉塞凸部２９が、天端部２９ａを閉塞面として平坦に切り取った、フランジ部２０と同心の扁平な切頭円錐形状を有している。図５（ａ），（ｂ）のフランジ付き中蓋３０は、底板部２５の内側縁部に連接して底板部２５よりも内方部分を閉塞する閉塞凸部３１が、天端部３１ａが閉塞する湾曲面となったドーム形状を有している。図６（ａ），（ｂ）のフランジ付き中蓋３２は、底板部２５の内側縁部に連接して底板部２５よりも内方部分を閉塞する閉塞凸部３３が、天端部３３ａを閉塞面として平坦に切り取った、扁平な円筒ドラムを同心階段状に積み重ねた形状を有している。これらのフランジ付き中蓋２８，３０，３２もまた、閉塞凸部２９，３１，３３の天端部２９ａ，３１ａ，３３ａが、フランジ部２０よりも例えば０．５〜１．５ｍｍ上方に突出して設けられているので、口部１３の先端開口１４に遊嵌状態で設置されて、上述のフランジ付き中蓋２２と同様の作用効果を奏することになる。
【００２２】
なお、本発明は上記実施形態に限定されることなく種々の変更が可能である。例えば、キャップが口部に装着される際に、キャップの天面部内面の周縁部分よりも内方部分によって押圧される中蓋本体の一部は、フランジ部と同心状に設けられた部分である必要は必ずしもなく、また突起状の部分であっても良い。また、本発明の中蓋付き容器は、中蓋本体の一部をフランジ部よりも上方に突出させたフランジ付き中蓋を用いて、当該中蓋本体の一部をキャップの天面部内面の内方部分と先に接触させるようにする必要は必ずしもなく、例えば図７（ａ），（ｂ）に示すように、キャップ１２の天面部内面１８’の内方部分１８ｂ’に凸部３４を設けておき、この凸部３４によって、フランジ部２０’と同じ高さかこれよりも低く設けられた中蓋本体２１’の一部２１ａ’に先に接触させて、フランジ付き中蓋２２’にキャップ１２を押し上げる方向Ｘの付勢力を生じさせるようにしても良い。
【図面の簡単な説明】
【００２３】
【図１】本発明の好ましい一実施形態に係る中蓋付き容器の構成を説明する分解斜視図である。
【図２】（ａ），（ｂ）は、本発明の好ましい一実施形態に係る中蓋付き容器において、容器本体の口部にフランジ付き中蓋を介在させてキャップを装着する状況を説明する略示断面図である。
【図３】フランジ付き中蓋の（ａ）は側面図、（ｂ）は上面図である。
【図４】フランジ付き中蓋の他の形態を例示する（ａ）は側断面図、（ｂ）は上面図である。
【図５】フランジ付き中蓋の他の形態を例示する（ａ）は側断面図、（ｂ）は上面図である。
【図６】フランジ付き中蓋の他の形態を例示する（ａ）は側断面図、（ｂ）は上面図である。
【図７】（ａ），（ｂ）は、他の実施形態に係る中蓋付き容器において、容器本体の口部にフランジ付き中蓋を介在させてキャップを装着する状況を説明する略示断面図である。
【符号の説明】
【００２４】
１０  中蓋付き容器
１１  容器本体
１２  キャップ
１３  口部
１４  口部の先端開口
１８  キャップの天面部内面
１８ａ  天面部内面の周縁部分
１８ｂ  中央部（天面部内面の内方部分）
１９  口部の上端面
２０  フランジ部
２１  中蓋本体
２２  フランジ付き中蓋
２３  指掛けつば部
２４  環状壁部
２５  底板部
２６  閉塞凸部
２６ａ  閉塞凸部の天端部（天面部内面の内方部分と接触する中蓋本体の一部）
Ｘ    付勢力
【図１】
2008285201.tif 000003
【図２】
2008285201.tif 000004
【図３】
2008285201.tif 000005
【図４】
2008285201.tif 000006
【図５】
2008285201.tif 000007
【図６】
2008285201.tif 000008
【図７】
2008285201.tif 000009